(57)【要約】【課題】拡大と折畳みの機能を残したままで、右利き、左利きを問わず操作し易い撮像装置を提供する。【解決手段】撮像装置8は、グリップ部50を兼用するバリアキャビネット5に、撮影用のレンズ2を具えた本体キャビネット1が重なり可能に取り付けられている。両キャビネット1、5は、互いにレンズ光軸Ｌに略直交する面内を回動可能に連結されている。バリアキャビネット5を把持した姿勢にて、バリアキャビネット5の上端部となる部位には、バリアキャビネット5を支持した左右何れもの手の指が達する位置にシャッタ釦3が設けられている。【選択図】  図１
2005318150.tif 000002
【特許請求の範囲】
【請求項１】
グリップ部を兼用するバリアキャビネットに、撮影用のレンズを具えた本体キャビネットが重なり可能に取り付けられ、
両キャビネットは、互いにレンズ光軸に略直交する面内を回動可能に連結され、
バリアキャビネットを把持した姿勢における、バリアキャビネットの上端部の幅方向の中央となる位置には、シャッタ釦が設けられていることを特徴とする電子撮像装置。
【請求項２】
両キャビネットが閉じた状態で、バリアキャビネットは本体キャビネットのレンズに対向し、シャッタ釦は本体キャビネットに対向し、両キャビネットが開いた状態で、シャッタ釦と本体キャビネットの対向が外れる請求項１に記載の電子撮像装置。
【請求項３】
両キャビネットの間には、本体キャビネットが回動した向きを検出する回動検出スイッチが設けられ、本体キャビネットには撮影画像及びメニュー画面を表示するモニターが取り付けられ、
モニターには、回動検出スイッチが検出した本体キャビネットの回動位置に応じて正立画像が表示される請求項１又は２に記載の電子撮像装置。
【請求項４】
両キャビネットの何れかには撮影画像を格納する記録媒体が装着可能であり、モニターには、記録媒体内の画像が表示される請求項３に記載の電子撮像装置。
【請求項５】
回動検出スイッチは、両キャビネットの何れかに設けられた電源装置に繋がり、両キャビネットが開いた状態又は開き途中状態で、電源ＯＮ状態となる請求項３又は４に記載の電子撮像装置。
【請求項６】
両キャビネットが開き、本体キャビネットが略水平な状態でレンズ、モニターは本体キャビネットの上下方向の中心線に対し、上下対称に配備された請求項３乃至５の何れかに記載の電子撮像装置。
【請求項７】
バリアキャビネット上にて、シャッタ釦が設けられた端部と反対側の端部には、三脚台取り付け用の穴が開設されている請求項１乃至６の何れかに記載の電子撮像装置。
【請求項８】
本体キャビネット上にて、レンズが設けられた面とは反対側の面には、複数の第１操作釦が設けられ、該第１操作釦は本体キャビネットが略水平な状態で本体キャビネットの上下方向の中心線に対し、上下対称に配備された請求項１乃至６の何れかに記載の電子撮像装置。
【請求項９】
バリアキャビネット上にて、両キャビネットが開いた状態で本体キャビネットから露出する面内には、バリアキャビネットを把持した手の指が達する位置に、第２操作釦が設けられた請求項１乃至８の何れかに記載の電子撮像装置。
【請求項１０】
バリアキャビネットは本体キャビネットに対し、着脱可能である請求項１乃至９の何れかに記載の電子撮像装置。
【請求項１１】
夫々異なる機能を有する複数のバリアキャビネット又は本体キャビネットを、本体キャビネット又はバリアキャビネットに対して選択的に取り付けることができる請求項１０に記載の電子撮像装置。
【請求項１２】
本体キャビネットには、バリアキャビネットが着脱自在に嵌まるコネクタ(７)が回動可能に設けられた請求項１０に記載の電子撮像装置。
【請求項１３】
バリアキャビネット内に、バッテリが装着される請求項１乃至１２の何れかに記載の電子撮像装置。
【請求項１４】
バリアキャビネット上にて、両キャビネットの閉じ状態でレンズに対向する部位には、レンズへの透光を許す孔が開設されている請求項１乃至１３の何れかに記載の電子撮像装置。
【請求項１５】
孔の周面には、フィルタ又はコンバージョンレンズ取り付け用のネジ溝が設けられた請求項１４に記載の電子撮像装置。
【発明の詳細な説明】
【技術分野】
【０００１】
本発明は、撮影の際は拡げて、収納の際にはコンパクトに畳むことができる、例えばデジタルカメラのような電子撮像装置に関する。
【背景技術】
【０００２】
撮像素子を用いる電子撮像装置(以下「撮像装置」と言う)は、一層の小型化が要望され、小型化するほど、携帯及び収納に便利である。しかし、小型化するほど、安定して支持することが難しく、又、モニターも大型化できず、撮影には不便を感じる。
図１３は、その問題を解決した撮像装置の一例であって、被写体側から見た斜視図である(例えば、特許文献１参照)。該撮像装置(８)は、ほぼ同形状のバリアキャビネット(５)と本体キャビネット(１)がヒンジ部(59)によって連結されている。バリアキャビネット(５)はモニター(６)及びシャッタ釦(３)を、本体キャビネット(１)はレンズ(２)及び撮像素子(29)を具えている。
撮影時は、本体キャビネット(１)を開いて、バリアキャビネット(５)の隣りに並設することにより、撮像装置は使い易い大きさに拡大できる。右利きの撮影者は右手でバリアキャビネット(91)を掴む。収納時は、本体キャビネット(１)をヒンジ部(59)を中心として矢印Ａ方向に反転させて、バリアキャビネット(５)に重ねて畳むことができる。
又、本体キャビネット(１)を開いた状態で、矢印Ｂ方向に回動させて、レンズ(２)の光軸に対するモニター(６)の角度を変えることができる。本体キャビネット(１)を回動させて、レンズ(２)をモニター(６)と同じ方向を向け、ヒンジ部(59)を中心に折り畳めば、レンズ(２)とバリアキャビネット(５)を対向させて収納でき、レンズ(２)を保護できる。
一般に小型の撮像装置は、片手で支持でき、支持した手で操作ボタンの操作が行われる。斯種撮像装置は、右利きの人間が多いことに鑑みて、右手で操作ボタンを操作し易く構成されている。
【０００３】
【特許文献１】特開平１１−１８７２９１号公報
【発明の開示】
【発明が解決しようとする課題】
【０００４】
しかし、図１３の撮像装置は左利きの撮影者には不便である。図１３の向きのまま、バリアキャビネット(５)を左手で持つと、モニター(６)が撮影者の反対側を向いてしまい、撮影者がモニター(６)を見ることができない。
バリアキャビネット(５)を裏返して、モニター(６)を撮影者側へ向け、バリアキャビネット(５)を左手で持つと、シャッタ釦(３)が下向きとなり、操作し難い。
本発明の目的は、拡大と折畳みの機能を残したままで、右利き、左利きを問わず操作し易い撮像装置を提供することにある。
【課題を解決するための手段】
【０００５】
撮像装置(８)は、グリップ部(50)を兼用するバリアキャビネット(５)に、撮影用のレンズ(２)を具えた本体キャビネット(１)が重なり可能に取り付けられ、
両キャビネット(１)(５)は、互いにレンズ光軸Ｌに略直交する面内を回動可能に連結され、
バリアキャビネット(５)を把持した姿勢における、バリアキャビネット(５)の上端部の幅方向の中央となる位置には、シャッタ釦(３)が設けられている。
また、両キャビネット(１)(５)が閉じた状態で、バリアキャビネット(５)は本体キャビネット(１)のレンズ(２)に対向し、シャッタ釦(３)は本体キャビネット(１)に対向し、両キャビネット(１)(５)が開いた状態で、シャッタ釦(３)と本体キャビネット(１)の対向が外れる。
【発明の効果】
【０００６】
１．撮影時には、本体キャビネット(１)をレンズ光軸Ｌに略直交する面内にて回動させる。
撮影者が右利きの場合、バリアキャビネット(５)を立て、バリアキャビネット(５)に対して、本体キャビネット(１)を左向きに回動させる。バリアキャビネット(５)を右手で把持する。
撮影者が左利きの場合、本体キャビネット(１)を右向きに回動させ、バリアキャビネット(５)を左手で把持する。
本体キャビネット(１)が左向きに回動している状態で、バリアキャビネット(５)を右手の指又は掌で支持せんとすれば、右手をバリアキャビネット(５)の右側から左向きに動かして、バリアキャビネット(５)を掴む。この際、本体キャビネット(１)は左向きに回動しているので、本体キャビネット(１)は右手の邪魔にならない。
バリアキャビネット(５)を左手で支持する場合には、本体キャビネット(１)を右向きに回動させておけば、本体キャビネット(１)は左手の邪魔にならない。従って、バリアキャビネット(５)を自然な状態で支持でき、且つ持ち易い。
２．シャッタ釦(３)は、バリアキャビネット(５)の上端部の幅方向の中央となる位置にある。故に、左右何れの手でバリアキャビネット(５)を把持しても、シャッタ釦(３)はバリアキャビネット(５)の上端部にて、把持した手の指、特に人差し指が届く位置にある。従って、撮影操作がし易い。
３．両キャビネット(１)(５)が開いた状態で、シャッタ釦(３)と本体キャビネット(１)の対向が外れているから、撮影時に本体キャビネット(１)はシャッタ操作の邪魔にならない。
また、両キャビネット(１)(５)が閉じた状態で、シャッタ釦(３)は本体キャビネット(１)に対向しているから、シャッタ釦(３)は本体キャビネット(１)に保護されている。従って、撮影しないときには、シャッタ釦(３)が邪魔とならない。
更に、両キャビネット(１)(５)が閉じた状態で、バリアキャビネット(５)は本体キャビネット(１)のレンズ(２)に対向しているから、レンズ(２)は保護される。
【発明を実施するための最良の形態】
【０００７】
(第１実施例)
全体構成
図１(a)、(b)は、本例に係わる撮像装置(８)の斜視図であり、右利きの撮影者が撮影する状態を示している。撮像装置(８)は、細長のバリアキャビネット(５)の一端部に、モニター(６)、複数の第１操作釦(10)(10)及び撮影用のレンズ(２)を具えた本体キャビネット(１)の一端部を回動可能に連結して構成されている。両キャビネット(１)(５)はレンズ(２)の光軸Ｌに直交する面内にて回動し、レンズ(２)は、本体キャビネット(１)の自由端部にてバリアキャビネット(５)に対向する面内に設けられている。以下の記載では、両キャビネット(１)(５)が重なり合った状態を閉じ状態、バリアキャビネット(５)に対し本体キャビネット(１)が略直交した向きに回動した状態を開き状態とする。
モニター(６)は、本体キャビネット(１)上にて、レンズ(２)が設けられた面と反対側の面に設けられ、レンズ(２)を通った画像及び撮影者が選択する内容を示すメニューが、モニター(６)に表示される。
バリアキャビネット(５)は立てた状態で把持され、バリアキャビネット(５)の上端部となる部位には、シャッタ釦(３)が設けられている。バリアキャビネット(５)内には、バッテリ(13)が装着されており、本体キャビネット(１)にバッテリ(13)を装着しないことにより、本体キャビネット(１)の機構的レイアウトに余裕を持たせるとともに、本体キャビネット(１)を回動させる際の負荷を軽減している。
【０００８】
シャッタ釦(３)は、バリアキャビネット(５)の幅方向の中央部に位置して、本体キャビネット(１)から露出し、バリアキャビネット(５)を支持した左右何れの手の指(特に人差し指)もが達する位置に設けられている。
両キャビネット(１)(５)の回動中心部(11)の近傍には、バリアキャビネット(５)が回動した向きを検出する回動検出スイッチ(４)、及び本体キャビネット(１)がバリアキャビネット(５)に略直交した姿勢を保つ係止装置(９)が設けられている。回動検出スイッチ(４)及び係止装置(９)の具体的な構成は後記する。
本体キャビネット(１)の一端部には、メモリカードである記録媒体(20)が挿入されるスロット(12)が開設されている。撮影した画像は記録媒体(20)に格納され、記録媒体(20)から画像が再生される。
【０００９】
右利きの撮影者が撮影する時には、先ずバリアキャビネット(５)を立てる。左手で本体キャビネット(１)を回動中心部(11)を軸として、撮影者から見て時計方向、即ち左向きに回動させる。本体キャビネット(１)が水平、即ちバリアキャビネット(５)に対して略９０度回動すると、係止装置(９)によって該回動位置にて保持される。この状態で、バリアキャビネット(５)を右手で把持する。即ち、バリアキャビネット(５)はグリップ部(50)を兼用する。レンズ(２)は被写体を向き、撮影者を向いたモニター(６)には前記の如く、撮影すべき画像、メニュー及びアイコン(撮影状態を示す絵文字又はマーク)が表示される。
撮影者は、バリアキャビネット(５)を把持した右手の人差し指で、シャッタ釦(３)を押す。また、右手の親指で第１操作釦(10)(10)を操作でき、利き手で操作し易い。
【００１０】
図２(a)、(b)は、撮像装置(８)を左利きの撮影者が撮影する状態を示す斜視図である。
左利きの撮影者が撮影する時には、バリアキャビネット(５)を立て、右手で本体キャビネット(１)を回動中心部(11)を軸として、撮影者から見て反時計方向、即ち右向きに回動させる。本体キャビネット(１)が水平、即ちバリアキャビネット(５)に対して略９０度回動すると、係止装置(９)によって該回動位置にて保持される。この状態で、バリアキャビネット(５)を左手で把持する。レンズ(２)は被写体を向き、モニター(６)は撮影者を向く。
撮影者は、バリアキャビネット(５)を把持した左手の人差し指で、シャッタ釦(３)を押す。また、左手の親指で第１操作釦(10)(10)を操作する。このように、バリアキャビネット(５)を把持した手で、シャッタ釦(３)を押すことができ、便利である。特に、シャッタ釦(３)は、バリアキャビネット(５)の幅方向の中央部に位置しているから、何れの手でもシャッタ釦(３)を押し易い。
【００１１】
図３(a)、(b)は、両キャビネット(１)(５)を閉じた状態を示す正面図である。両キャビネット(１)(５)が閉じた状態で、バリアキャビネット(５)は本体キャビネット(１)のレンズ(２)に対向している。従って、レンズ(２)は保護される。
シャッタ釦(３)は本体キャビネット(１)に対向して、本体キャビネット(１)に隠れる。即ち、撮像装置(８)を使用しないときは、シャッタ釦(３)が本体キャビネット(１)に隠れるから、シャッタ釦(３)が邪魔にならない。また、シャッタ釦(３)を使用するときには、上記の如く、シャッタ釦(３)と本体キャビネット(１)の対向が外れ、シャッタ釦(３)が本体キャビネット(１)から露出するから、シャッタ釦(３)が押し易い。
【００１２】
回動検出スイッチ(４)には種々の構成が考えられるが、例えば、図４に示すように、バリアキャビネット(５)上に、３つの第１、第２、第３電極(41)(42)(43)を設け、本体キャビネット(１)に該電極(41)(42)(43)に接する接片(40)を設ける。３つの電極(41)(42)(43)は夫々、右利きの撮影者が使用する場合に於いて、本体キャビネット(１)が左に９０度回動した位置、閉じた位置、右に９０度回動した位置に対応している。
本体キャビネット(１)が左に９０度回動すると、接片(40)と第１電極(41)が通電するから、本体キャビネット(１)が左に９０度回動したことが判る。同様に、接片(40)と第２電極(42)、接片(40)と第３電極(43)が通電すると、本体キャビネット(１)が閉じたこと、右に９０度回動したことが判る。勿論、本体キャビネット(１)に電極(41)(42)(43)を、バリアキャビネット(５)に接片(40)を設けてもよい。
回動検出スイッチ(４)により、本体キャビネット(１)の回動位置が判るから、回動検出スイッチ(４)を両キャビネット(１)(５)の何れかに設けられた電源装置(図示せず)に繋げて、両キャビネット(１)(５)が開いた状態又は開き途中状態で、電源ＯＮ状態としてもよい。本体キャビネット(１)を開いた状態では、自動的に電源ＯＮとなるから、直ぐに撮影ができる。
【００１３】
係止装置(９)には種々の構成が可能であるが、例えば図５に示すように、バリアキャビネット(５)内からバネ(98)で付勢されて突出したボール(90)を、本体キャビネット(１)に凹設された係止穴(99)に係脱させる構成が考えられる。係止穴(99)は本体キャビネット(１)が停止するべき位置、即ち本体キャビネット(１)が左に９０度回動した位置、閉じた位置、右に９０度回動した位置に対応して設けられている。
尚、図１(a)に示す如く、本体キャビネット(１)を左向きにした状態で、モニター(６)に上下の向きが正しい画像が現れる場合、本体キャビネット(１)を図２(a)に示す如く、右側に向けると画像の上下が逆になる。この現象を防止するため、公知の上下逆転手動スイッチ(図示せす)の押圧操作、或いは、回動検出スイッチ(４)により本体キャビネット(１)の向きを自動検出して、上下を逆転させる機能が組み込まれている。
【００１４】
モニター(６)の画像を上下反転するには種々の構成が可能であるが、モニター(６)は一般に液晶パネルから構成されており、液晶パネルの画像を反転させる構成は、例えば特開平４−２０７６７８号に示す如く公知である。これは図６に示すように、走査ドライブ回路(60)に繋がったゲート信号線Ｇ１−Ｇｍと、信号ドライブ回路(61)に繋がったソース信号線Ｓ１−Ｓｎとの交点上にＴＦＴ(62)と、付加容量(63)と、液晶層を有する画素(64)を設けている。ゲート信号線Ｇ１−Ｇｍは垂直方向の走査に対応しており、走査ドライブ回路(60)からＴＦＴ(62)をＯＮ、ＯＦＦするゲート電圧が印加される。該ゲート電圧に同期して、信号ドライブ回路(61)から画素(64)に書き込むべき電圧がソース信号線Ｓ１−Ｓｎに出力され、該電圧により液晶の透過率が変化して画像が表示される。
図７に示すように、走査ドライブ回路(60)には、水平同期信号であるクロックＣＫ、及び画像データであるスタートパルスＳＰ１が入力端子(65)に入力され、該クロックＣＫの立ち上がりで、スタートパルスＳＰ１がゲート信号線Ｇ１−Ｇｍをシフトする、即ち隣の信号線に移動する。スタートパルスＳＰ１がゲート信号線Ｇｍまでシフトされると、出力端子(66)から出力される。モニター(６)の画像を通常に写すには、スタートパルスＳＰ１をゲート信号線Ｇ１から順にゲート信号線Ｇｍまでシフトする。
モニター(６)の画像を上下反転するには、スタートパルスＳＰ１を出力端子(66)から入力する。スタートパルスＳＰ１は、ゲート信号線Ｇｍから順にゲート信号線Ｇ１まで逆向きにシフトし、モニター(６)には上下反転した画像が表示される。回動検出スイッチ(４)と走査ドライブ回路(60)を電気的に繋ぐことにより、本体キャビネット(１)の向きに応じた画像が表示される。
【００１５】
上下を逆転させる画像は、記録媒体(20)から読み出される画像、又はメニュー及びアイコンであり、レンズ(２)を通ってモニター(６)に表示される所謂スルー画像は上下逆転されない。また、回動検出スイッチ(４)により本体キャビネット(１)の向きが判るから、撮影画像を記録媒体(20)に格納する際に、本体キャビネット(１)が図１(a)の向きにあるときは、そのまま格納し、本体キャビネット(１)が図２(a)の向きにあるときは、画像を１８０度回転させて格納する。
【００１６】
(第２実施例)
図８(a)、(b)は、他の実施例に於ける撮像装置(８)の正面図及び背面図であり、右利きの撮影者が撮影する状態を示している。本体キャビネット(１)上にてレンズ(２)の側方には、ストロボ用のランプ(14)、ストラップが掛けられるフック(15)が設けられている。また、記録媒体(20)が挿入されるスロットには、カード蓋(16)が被さっている。バリアキャビネット(５)の下端部、即ちシャッタ釦(３)が設けられた端部と反対側の端部には、三脚台取り付け用の穴(52)が開設されている。
本体キャビネット(１)上にて、モニター(６)の側方には、複数の第１操作釦(10)(10)が設けられ、バリアキャビネット(５)の把持部には、テンキー状に配列された第２操作釦(51)(51)が設けられている。該第２操作釦(51)(51)により文字が入力できる。
第２操作釦(51)(51)をバリアキャビネット(５)の把持部に設けることにより、図１に示す撮像装置(８)よりも多くの操作釦を設けることができるとともに、バリアキャビネット(５)を把持した手の親指で情報を入力でき、操作性が向上する。
【００１７】
本体キャビネット(１)が開いて略水平となった状態で、レンズ(２)、モニター(６)は本体キャビネット(１)の上下方向の中心線Ｔに対し、上下対称に配備されている。また、第１操作釦(10)(10)、カード蓋(16)、フック(15)、本体キャビネット(１)に付されたブランドネーム等のロゴも中心線Ｔに対し、上下対称に配備されている。
レンズ(２)、モニター(６)等を中心線Ｔに対し、上下対称に配備することにより、本体キャビネット(１)を右向きに回動させても、左向きに回動させても、外観上違和感がない。換言すれば、バリアキャビネット(５)に対するレンズ(２)、モニター(６)等の高さ位置は、右利きの撮影者でも、左利きの撮影者でも変わらない。
また、バリアキャビネット(５)の下端部に、三脚台取り付け用の穴(52)を開設することにより、該穴(52)は１つで済む。即ち、該穴(52)を本体キャビネット(１)に設けようとすると、本体キャビネット(１)は左右に回動するから、図８(b)にＢで示すように、２箇所に穴(52)を設ける必要がある。バリアキャビネット(５)に穴(52)を設けることにより、該穴(52)は１箇所で済む。
【００１８】
尚、図８(a)に一点鎖線で示すように、バリアキャビネット(５)の下端部にて、両キャビネット(１)(５)の閉じ状態でレンズ(２)に対向する部位に、レンズ(２)への透光を許す孔(53)を開設してもよい。該孔(53)を開設することにより、緊急時には両キャビネット(１)(５)の閉じ状態でも撮影ができる。即ち、本体キャビネット(１)を回動させて、レンズ(２)を露出させなくとも撮影ができる。
図９は、図８(a)に示す孔(53)の周面を、Ｃ−Ｃ線を含む面にて破断した断面図である。孔(53)の周面には、ネジ溝(54)が形成され、該ネジ溝(54)にはネジ山を有するフィルタ、又はコンバージョンレンズ(図示せず)が螺合する。撮影者によっては、望遠撮影や広角撮影、或いは照度を低くして撮影したい場合があり、コンバージョンレンズ等を選択的にバリアキャビネット(５)に取付け可能とすることにより、かかる撮影者の要求を満たすことができる。
【００１９】
(第３実施例)
図１０(a)、(b)は、他の実施例に於ける撮像装置(８)の正面図及び背面図であり、右利きの撮影者が撮影する状態を示している。本体キャビネット(１)上に、レンズ(２)、ストロボ用のランプ(14)、第１操作釦(10)(10)が中心線Ｔに対し上下対称に設けられ、バリアキャビネット(５)の上端部となる部位にシャッタ釦(３)が設けられている点は、第２実施例と同じである。本例にあっては、バリアキャビネット(５)が本体キャビネット(１)に対し、着脱可能である点に特徴がある。着脱可能な構成の一例を以下に説明するが、これに限定されない。
図１１は、本体キャビネット(１)とバリアキャビネット(５)の分解斜視図、図１２は本体キャビネット(１)を図１１とは左右逆向きから見た斜視図である。本体キャビネット(１)上には、略長方形のコネクタ(７)がレンズ光軸Ｌに直交する面内を回動可能に設けられており、コネクタ(７)の上下面には突条(70)(70)が形成されている。バリアキャビネット(５)の一端部には、コネクタ(７)に嵌まる凹部(55)が形成されており、該凹部(55)の周面には、前記突条(70)(70)に嵌まる凹条(56)(56)、及び嵌合穴(57)(57)が開設されている。
コネクタ(７)の側面上にて、嵌合穴(57)に対向する部位には、端子(71)(71)が突出しており、端子(71)(71)が嵌合穴(57)(57)に嵌まって、本体キャビネット(１)とバリアキャビネット(５)とが電気的に繋がる。コネクタ(７)上にて、端子(71)(71)とは反対側の側面には、シャッタ釦(３)が設けられている。
【００２０】
本体キャビネット(１)とバリアキャビネット(５)を嵌めるには、図１１に示すように、バリアキャビネット(５)の長手方向と、コネクタ(７)の長手方向を合わせる。バリアキャビネット(５)の凹部(55)をコネクタ(７)に向けて挿入する。コネクタ(７)の突条(70)(70)と、バリアキャビネット(５)の凹条(56)(56)が嵌合し、バリアキャビネット(５)と本体キャビネット(１)の位置決めがされる。コネクタ(７)の端子(71)(71)が嵌合穴(57)に嵌まる。このようにして、本体キャビネット(１)とバリアキャビネット(５)が着脱自在に連結される。コネクタ(７)は回動可能であるから、コネクタ(７)に嵌合したバリアキャビネット(５)に対し、本体キャビネット(１)を回動させれば、撮影ができる。
【００２１】
本体キャビネット(１)とバリアキャビネット(５)とが着脱自在であるから、例えば種々の機能、デザインを有するバリアキャビネット(５)を予め用意しておき、撮影者の好みに応じて、バリアキャビネット(５)を選択的に取り替えることができる。バリアキャビネット(５)を交換する際には、コネクタ(７)からバリアキャビネット(５)を引き抜けばよい。
また、バリアキャビネット(５)内には、前記の如くバッテリ(13)が設けられるから、容量の大きなバッテリ(13)に取り替えることができ、長時間の撮影に便利である。また、本体キャビネット(１)を高性能マイク付き、高品位スピーカ付き、強力なストロボランプ(14)付き、レンズフィルタ装着可能品に交換することができ、色々なバリエーションが楽しめる。勿論、バリアキャビネット(５)に前記の如く、レンズ(２)への透光を許す孔(53)を開設してもよい。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、撮像装置(８)としてデジタルカメラを例示したが、携帯電話機でもよい。また、記録媒体(20)はバリアキャビネット(５)内に装着されてもよい。
【図面の簡単な説明】
【００２３】
【図１】(a)、(b)は、撮像装置の斜視図であり、右利きの撮影者が撮影する状態を示している。
【図２】(a)、(b)は、撮像装置を左利きの撮影者が撮影する状態を示す斜視図である。
【図３】(a)、(b)は、両キャビネットを閉じた状態を示す正面図である。
【図４】回動検出スイッチの構成を示す斜視図である。
【図５】係止装置の構成を示す斜視図である。
【図６】モニターの内部構造を示す平面図である。
【図７】モニターの走査ドライブ回路の構成を示す図である。
【図８】(a)、(b)は、他の実施例に於ける撮像装置の正面図及び背面図であり、右利きの撮影者が撮影する状態を示している。
【図９】図８(a)に示す孔の周面を、Ｃ−Ｃ線を含む面にて破断した断面図である。
【図１０】(a)、(b)は、他の実施例に於ける撮像装置の正面図及び背面図であり、右利きの撮影者が撮影する状態を示している。
【図１１】図１０の本体キャビネットとバリアキャビネットの分解斜視図である。
【図１２】図１１の本体キャビネットを図１１とは左右逆向きから見た斜視図である。
【図１３】従来の撮像装置を被写体側から見た斜視図である。
【符号の説明】
【００２４】
(１)  本体キャビネット
(２)  レンズ
(３)  シャッタ釦
(４)  回動検出スイッチ
(５)  バリアキャビネット
(６)  モニター
(10)  第１操作釦
(20)  記録媒体
(50)  グリップ部
(52)  穴
(53)  孔
(54)  ネジ溝
【図１】
2005318150.tif 000003
【図２】
2005318150.tif 000004
【図３】
2005318150.tif 000005
【図４】
2005318150.tif 000006
【図５】
2005318150.tif 000007
【図６】
2005318150.tif 000008
【図７】
2005318150.tif 000009
【図８】
2005318150.tif 000010
【図９】
2005318150.tif 000011
【図１０】
2005318150.tif 000012
【図１１】
2005318150.tif 000013
【図１２】
2005318150.tif 000014
【図１３】
2005318150.tif 000015